(57)【要約】      （修正有）【課題】石鹸と結合して使用でき、未使用時には水分を排出する多機能シャワースポンジを提供する。【解決手段】多機能シャワースポンジは、シャワースポンジ本体内に石鹸を容置する空間を設置し、その一側に、空間と貫通する置物口を有する。使用時、石鹸は、置物口から本体の内部空間に設置し、本体を濡らして、体を洗浄すると同時に、泡沫を生成し、石鹸と本体が一体化したシャワースポンジ、或いは、石鹸を使用せず、本体は、ボディソープを併用することができる。使用終了、或いは、未使用時、石鹸に残留した水分は、本体から排出され、長時間、濡れた状態になるのを防止し、この時、本体は、ソープディッシュとなる。【選択図】図３
0003143919.tif 000002
【実用新案登録請求の範囲】
【請求項１】
多機能シャワースポンジであって、立体多層の中空構造の本体内部に空間を有し、その一側に置物口を設置し、前記置物口と前記空間が貫通していることを特徴とする多機能シャワースポンジ。
【請求項２】
前記置物口の開口に、強力クリップか面ファスナーを設置することを特徴とする請求項１に記載の多機能シャワースポンジ。
【請求項３】
前記本体は、塊状かボディタオルであることを特徴とする請求項１に記載の多機能シャワースポンジ。
【請求項４】
前記本体外は、絞り口、面ファスナー、或いは、ビスにより閉じることができる浸水する被覆袋を設置することを特徴とする請求項１に記載の多機能シャワースポンジ。
【考案の詳細な説明】
【技術分野】
【０００１】
本考案は、多機能シャワースポンジに関するものであって、特に、本体内に、石鹸を置入する空間を有するシャワースポンジに関する。
【背景技術】
【０００２】
使用後の石鹸１は、通常、図１のように、直接、ソープディッシュ２に置く。この時、石鹸１の残留水分がソープディッシュ２内に堆積し、石鹸１が長期的に積水中にさらされ、石鹸が快速に溶けてしまい、また、細菌も繁殖する。図２はボディタオルで、その使用は、ボディタオル３を濡らして、石鹸１、或いは、ボディソープを使用し、泡を出した後、泡のついたタオルで、体を洗浄する。しかし、これは面倒である。
【考案の開示】
【考案が解決しようとする課題】
【０００３】
本考案の目的は、多機能シャワースポンジを提供し、上述の問題を解決することにある。
【課題を解決するための手段】
【０００４】
本考案の多機能シャワースポンジは、石鹸と結合して使用し、また、ボディソープと組み合わせて使用し、直接、シャワースポンジとして使用でき、石鹸についた水分を排出して、ソープディッシュとなる。
【考案の効果】
【０００５】
本考案の多機能シャワースポンジは、以下のような長所がある。
１．本考案は、直接、ボディソープと併用し、一般のシャワースポンジとして使用することができる。或いは、石鹸と結合し、石鹸と一体型のシャワーソープを形成し、濡らすだけで、体を洗浄し、泡が生成され、使用上、快速で、便利である。
２．本考案は、一般のシャワースポンジとして、或いは、石鹸と結合してシャワースポンジとして使用する時、本体の立体多層の中空構造設計により、洗浄過程で、大量の泡沫を生成して、体を洗浄することができ、使用が快速で、便利である。
３．内置された石鹸が、なくなったり、不使用時、本体の立体多層の中空構造により、石鹸に残留した水分が排出され、石鹸が常時濡れた状態にならない。
【考案を実施するための最良の形態】
【０００６】
図３、図４は、本考案の多機能シャワースポンジ４を示す図で、主に、立体多層の中空構造である本体４０から構成される。本体４０内部に、石鹸を容置する空間４０１を設置し、その一側に置物口４０３を設置し、置物口４０３の開口に、強力クリップ４０２を設置する。置物口４０３と空間４０１は貫通している。
【０００７】
本体４０の置物口４０３の開口に設けられた強力クリップ４０２は、面ファスナーにより代替することができる。
【０００８】
本体４０の材質は、吸水材質で、例えば、海綿の本体４０（図３）、チーズ海綿の本体４０ａ（図５）、或いは、非吸水材質、例えば、樹脂繊維、化学繊維、シリコン等である。本体４０、及び、内部空間４０１は、正方形、長方形、楕円形、円形、動物造型等の各種造型、或いは、ボディタオル４０ｂ（図６）で、適当な箇所に、石鹸４１を容置し、且つ、各種造型の空間４０１ｂでもよい。
【０００９】
また、本考案は、本体４０、４０ａ、或いは、ボディタオル４０ｂ外に、布質の被覆袋４３を被覆し、被覆袋４３は、絞り口４３０、或いは、面ファスナー４３０ａ、或いは、ビス４３０ｂにより閉じて（図７〜図１０）、本体４０の損壊程度を減少する。
【００１０】
使用時、本考案のシャワースポンジ４とボディソープを一般のシャワースポンジとして使用することができる。或いは、本考案のシャワースポンジ４と石鹸４１を結合し、図１１、図１２で示されるように、本体４０の置物口４０３両側に向けて施力し、置物口４０３の強力クリップ４０２が、施力により中間に向かって推圧されて、開口状をなす。この時、石鹸４１は、本体４０の置物口４０３から置入し、空間４０１に定位し、石鹸４１と本体４０が結合して、一体のシャワースポンジになる。使用者は、使用時に、本体４０を濡らすだけで、体を洗浄する時に、泡が生成される。
【００１１】
内置された石鹸４１は使用の度に縮小しても、小さくなった石鹸４１を取り出す必要がなく、新しい石鹸４１を補充すればいい（図１３）。
【００１２】
本考案により、以下のような長所が得られる。１．本考案は、直接、ボディソープと併用し、一般のシャワースポンジとして使用することができる。或いは、石鹸と結合し、石鹸と一体型のシャワーソープを形成し、濡らすだけで、体を洗浄し、泡が生成され、使用上、快速で、便利である。２．本考案は、一般のシャワースポンジとして、或いは、石鹸と結合してシャワースポンジとして使用する時、本体の立体多層の中空構造設計により、洗浄過程で、大量の泡沫を生成して、体を洗浄することができ、使用が快速で、便利である。３．内置された石鹸が、なくなったり、不使用時、本体の立体多層の中空構造により、石鹸に残留した水分が排出され、石鹸が常時濡れた状態にならない。
【図面の簡単な説明】
【００１３】
【図１】公知の立体図である。
【図２】公知の立体図である。
【図３】本考案の立体図である。
【図４】本考案の断面図である。
【図５】本考案に別の材質を使用した実施例の立体図である。
【図６】本考案のボディタオルで実施した例の立体図である。
【図７】本考案の被覆袋を使用した実施例の立体図である。
【図８】本考案の被覆袋を使用した実施例の立体図である。
【図９】本考案の被覆袋を使用した実施例の立体図である。
【図１０】本考案のボディタオルで実施し、被覆袋を使用した例の立体図である。
【図１１】本考案の使用状態を示す図である。
【図１２】本考案の石鹸を内置した立体図である。
【図１３】本考案の新旧石鹸を内置した立体図である。
【符号の説明】
【００１４】
１        石鹸
２        ソープディッシュ
３        ボディタオル
４        多機能シャワースポンジ
４０      本体
４０ａ    チーズ海綿本体
４０ｂ    ボディタオル
４０１    空間
４０１ｂ  空間
４０２    強力クリップ
４０３    置物口
４１      石鹸
４３      被覆袋
４３０     口
４３０ａ    面ファスナー
４３０ｂ    ビス
【図１】
0003143919.tif 000003
【図２】
0003143919.tif 000004
【図３】
0003143919.tif 000005
【図４】
0003143919.tif 000006
【図５】
0003143919.tif 000007
【図６】
0003143919.tif 000008
【図７】
0003143919.tif 000009
【図８】
0003143919.tif 000010
【図９】
0003143919.tif 000011
【図１０】
0003143919.tif 000012
【図１１】
0003143919.tif 000013
【図１２】
0003143919.tif 000014
【図１３】
0003143919.tif 000015